(57)【要約】【課題】容易に装着することができ、かつ、走行中に外れにくい防火ネットを提供すること。【解決手段】排気ガスを排出する金属製の排気管１０に取り付けられ、排気ガスに含まれる火種の放出を防止する防火ネット１であって、一方側の端部に形成される開口部２１と、他方側の端部に形成される封止部２２と、開口部２１と封止部２２との間に形成され排気管１０における排気口１１側の一部が挿入配置される中空部２３と、を有する袋体２と、排気管１０側の面における開口部２１近傍に固定されると共に、排気管１０の外周面１２に該外周面１２における周方向に沿って密着するよう磁力によって取り付けられるシート状のマグネット部材３と、を備える。【選択図】図１
2010223106.tif 000002
【特許請求の範囲】
【請求項１】
排気ガスを排出する金属製の排気管に取り付けられ、前記排気ガスに含まれる火種の放出を防止する防火ネットであって、
一方側の端部に形成される開口部と、他方側の端部に形成される封止部と、前記開口部と前記封止部との間に形成され前記排気管における排気口側の一部が挿入配置される中空部と、を有する袋体と、
前記排気管側の面における前記開口部の近傍に固定されると共に、前記排気管の外周面に該外周面における周方向に沿って密着するよう磁力によって取り付けられるシート状のマグネット部材と、を備える防火ネット。
【請求項２】
前記袋体における前記開口部の周縁には、前記一方側から前記他方側に所定長さの切込部が形成される請求項１に記載の防火ネット。
【請求項３】
前記袋体は、前記排気管の径に応じて変形可能な柔軟性を有する金網により形成される請求項１又は２に記載の防火ネット。
【請求項４】
前記マグネット部材の内面には、断熱材が配置される請求項１から３のいずれかに記載の防火ネット。
【発明の詳細な説明】
【技術分野】
【０００１】
本発明は、防火ネットに関し、特に、金属製の排気管に装着可能な防火ネットに関する。
【背景技術】
【０００２】
従来、石油化学工場等に自動車で入構する場合、防火、防爆等の観点から、車両の排気管の排気口を覆うように防火ネットを装着することが求められる。この防火ネットは、一般に、金網を袋状に形成した袋体と、この袋体を排気管に固定するための針金等とを有して構成されており、袋体を排気口に被せるようにして装着した後、針金で袋体を排気管に固定して使用される。
【０００３】
しかしながら、上述した従来の防火ネットは、針金で袋体を排気口に固定させる構成となっているため、着脱の繰り返し等により、針金が切れてしまい、走行中に防火ネットが排気管から外れるおそれがあった。
【０００４】
これに対しては、袋体に万力を通し、万力により袋体を排気管に固定させることにより、繰り返し使用しても容易に外れない防火ネットが提案されている（例えば、特許文献１参照）。
【先行技術文献】
【特許文献】
【０００５】
【特許文献１】実用新案登録第３０８８８４９号公報
【発明の概要】
【発明が解決しようとする課題】
【０００６】
しかしながら、特許文献１で提案された防火ネットは、袋体を排気口に被せた後、万力の雄ネジ棒を回転させて防火ネットを排気管に固定させる構成になっているため、取り付けに際して手間が掛かるという問題があった。
【０００７】
本発明は、容易に装着することができ、かつ、走行中に外れにくい防火ネットを提供することを目的とする。
【課題を解決するための手段】
【０００８】
本発明は、排気ガスを排出する金属製の排気管に取り付けられ、前記排気ガスに含まれる火種の放出を防止する防火ネットであって、一方側の端部に形成される開口部と、他方側の端部に形成される封止部と、前記開口部と前記封止部との間に形成され前記排気管における排気口側の一部が挿入配置される中空部と、を有する袋体と、前記排気管側の面における前記開口部近傍に固定されると共に、前記排気管の外周面に該外周面における周方向に沿って密着するよう磁力によって取り付けられるシート状のマグネット部材と、を備える防火ネットに関する。
【０００９】
また、前記袋体における前記開口部の周縁には、前記一方側から前記他方側に所定長さの切込部が形成されることが好ましい。
【００１０】
また、前記袋体は、前記排気管の径に応じて変形可能な柔軟性を有する金網により形成されることが好ましい。
【００１１】
また、前記マグネット部材の内面には、断熱材が配置されることが好ましい。
【発明の効果】
【００１２】
本発明によれば、容易に装着することができ、かつ、走行中に外れにくい防火ネットを提供することができる。
【図面の簡単な説明】
【００１３】
【図１】本実施形態に係る防火ネットを自動車の排気管に装着させた状態を示す外観斜視図である。
【図２】図１に示す防火ネットの上面図である。
【図３】本発明の実施形態に係る防火ネットの外観を示す外観斜視図である。
【図４】図３に示す防火ネットの上面図である。
【図５】図３に示す防火ネットの正面図である。
【図６】本実施形態に係る防火ネットを自動車の排気管に装着させる状態を示す外観斜視図である。
【図７】図６に示す防火ネットのＡ−Ａ断面図である。
【図８】管径の細い排気管に防火ネットを装着させた状態を示す上面図である。
【図９】管径の太い排気管に防火ネットを装着させた状態を示す上面図である。
【図１０】断熱材を配置させた状態を示す防火ネットの断面図である。
【発明を実施するための形態】
【００１４】
以下、本発明の実施形態について、図１から図５を参照しながら説明する。
図１は、本実施形態に係る防火ネット１を自動車の排気管１０に装着させた状態を示す外観斜視図である。図２は、図１に示す防火ネット１の上面図である。図３は、本発明の実施形態に係る防火ネット１の外観を示す外観斜視図である。図４は、図３に示す防火ネット１の上面図である。図５は、図３に示す防火ネット１の正面図である。
【００１５】
図１及び図２に示すように、本実施形態に係る防火ネット１は、例えば、石油化学工場内を走行する自動車（例えば、ディーゼル自動車等）における金属製の排気管１０に装着される。この防火ネット１は、排気管１０から排気ガスと共に排出される高温の煤や火の粉等の火種が外部に放出されることを防止する。
【００１６】
図３から図５に示すように、防火ネット１は、網状の袋体２と、シート状のマグネット部材３とを備える。
【００１７】
袋体２は、複数の開孔（いわゆる編み目）を有するステンレス製の金網２０により形成されている。金網２０としては、例えば、１ｃｍ２あたりの開孔の数が２０〜５０のものが好適に使用される。金網２０に形成される開孔の数が１ｃｍ２あたり５０を超える場合には、排気ガスに含まれる高温の煤や火の粉等の火種が金網の開孔を通過してしまい、火種の排出を防止できないおそれがある。また、金網２０に形成される開孔の数が１ｃｍ２あたり２０未満である場合には、排気ガスの通過抵抗が増加してしまい、排気効率を悪化させるおそれがある。
【００１８】
袋体２は、一端側が開口し他端側が封止された筒状に構成される。この袋体２は、一方側の端部に形成される開口部２１と、他方側の端部に形成される封止部２２と、開口部２１と封止部２２との間に形成される中空部２３と、一方側の端部から他方側の端部に向かって延びる切込部２７と、を備える。袋体２は、例えば、以下の手順により形成される。
まず、一対の略同形の矩形状の金網２０を重ね合わせ、この重ね合わせた金網２０の長手方向に沿う側縁２４、２５同士を接合する。
次いで、一対の金網２０の間に中空部２３を形成するように一対の金網２０を弛ませた状態で、一対の金網２０の幅方向に沿う側縁のうちの一方の側縁である後縁２６同士を接合する。これにより、一対の金網２０における後縁２６側に封止部２２が形成されると共に、前縁側に開口部２１が形成される。そして、開口部２１と封止部２２との間には、一対の金網２０に囲まれた中空部２３が形成される。
【００１９】
袋体２の長手方向における長さは、排気管１０の長さの４分の１以上の長さに構成されている。なお、本発明においては、袋体２の長手方向における長さは、排気管１０の排気口１１側の少なくとも一部を長手方向に収容可能な長さであればよい。
【００２０】
切込部２７は、開口部２１の周縁２８から封止部２２側に延びるように形成されている。この切込部２７は、側縁２４の開口部２１側を所定量切断することにより形成される。切込部２７の長さは、例えば、袋体２の長手方向における長さの４分の１程度である。
【００２１】
マグネット部材３は、可撓性を有するマグネットシートにより構成される。このマグネット部材３は、帯状に形成され、袋体２の内面における開口部２１側に配置される。より具体的には、マグネット部材３は、長手方向の一端部３３及び他端部３４が切込部２７を挟むように位置した状態で、袋体２の内面に沿うように袋体２の内面に接合されている。つまり、マグネット部材３の外面３２は、袋体２の内面に接合されている。
【００２２】
次に、以上の防火ネット１の使用方法について、図１及び図２に加え、図６から図１０を参照しながら説明する。
図６は、本実施形態に係る防火ネット１を自動車の排気管１０に装着させる状態を示す外観斜視図である。図７は、図６に示す防火ネット１のＡ−Ａ断面図である。図８は、管径の細い排気管１０Ａに防火ネット１を装着させた状態を示す上面図である。図９は、管径の太い排気管１０Ｂに防火ネット１を装着させた状態を示す上面図である。
【００２３】
防火ネット１を装着するにあたり、作業者は、まず、切込部２７を挟むように位置するマグネット部材３の一端部３３と他端部３４とを把持する。
【００２４】
マグネット部材３の両端部３３，３４を把持すると、作業者は、マグネット部材３の一端部３３と、他端部３４とを外側（互いに離れる方向）に引っ張る。
ここで、防火ネット１には、袋体２の開口部２１側から封止部２２側に向かって周縁２８と直交する方向に開口部２１と連続する切込部２７が形成されている。そのため、作業者は、マグネット部材３の一端部３３と、他端部３４とを外側に引っ張ることにより、切込部２７に沿って開口部２１を広げることが可能となる。
【００２５】
開口部２１を広げると、作業者は、図６に示すように、排気管１０の排気口１１側を袋体２の内部に位置させる。これにより、排気管１０の排気口１１側の一部は、中空部２３内に配置される。
【００２６】
排気管１０の排気口１１側を袋体２の内部に位置させると、作業者は、マグネット部材３の内面３１を排気管１０の外周面１２に密着させる。
ここで、マグネット部材３は、金属製の排気管１０の外周面１２に密着するように可撓性を有するシート状に形成されている。また、マグネット部材３は、外面３２が袋体２の内面に接合され、内面３１が排気管１０の外周面１２に密着するように構成されている。そのため、防火ネット１は、図７に示すように、マグネット部材３を排気管１０に密着させることにより、袋体２の開口部２１の周縁２８を排気管１０に密着させることが可能になる。
【００２７】
以上のような構成を有する本実施形態に係る防火ネット１によれは、以下のような効果が奏される。
袋体２の開口部２１側の内面にシート状のマグネット部材３を配置した。これにより、排気管１０の排気口１１を中空部２３に位置させた状態で、マグネット部材３の磁力により袋体２を排気管１０の外周面に密着させられる。よって、防火ネット１を車両の排気管１０に容易に装着できる。また、装着した防火ネット１は、車両の走行中に外れにくい。
【００２８】
また、マグネット部材３を、可撓性を有するマグネットシートにより構成した。これにより、防火ネット１の排気管１０の外周面１２に対する密着性を向上できる。よって、排気管１０から排出された火の粉や高温の煤等の火種が外部にこぼれることをより確実に防止できる。
【００２９】
また、袋体２の開口部２１から封止部２２側に延びる切込部２７を設けた。これにより、開口部２１の開口の大きさを排気管１０の管径に合わせて、容易に調整できる。例えば、図８に示すように、排気管１０Ａの管径が防火ネット１の開口部２１の径よりも小さい場合においても、マグネット部材３の端部３３，３４同士を重ねるようにして排気管１０Ａの外周面１２に密着させられる。よって、排気管１０Ａと袋体２の周縁２８との隙間を生じさせることなく、防火ネット１を装着できる。
【００３０】
また、図９に示すように、排気管１０Ｂの管径が防火ネット１の開口部２１の径よりも大きい場合においても、マグネット部材３の端部３３，３４同士を離間させるようにして排気管１０Ｂの外周面１２に密着させられる。よって、排気管１０Ｂと袋体２の周縁２８との隙間を生じさせることなく、防火ネット１を装着できる。
【００３１】
また、開口部２１から封止部２２側に延びる切込部２７を形成したので、開口部２１を大きく開口でき、防火ネット１の排気管１０への装着を容易に行える。
【００３２】
なお、本発明は、上記実施形態に何ら限定されることはなく、本発明の技術的範囲はこれらに限定されるものではない。
例えば、本実施形態においては、排気管１０の外周面１２にマグネット部材３を直接密着させたが、これに限らない。即ち、図１０に示すように、マグネット部材３の内面（排気管１０との密着面）３１の少なくとも一部に断熱材４を配置し、この断熱材４を介してマグネット部材３を排気管１０の外周面１２に密着させてもよい。これにより、排気管１０から伝達される熱により、マグネット部材３の磁力が低下することを抑制できる。
【００３３】
また、本実施形態においては、袋体２を、ステンレス製の針金を編んで作られる金網により構成したが、これに限らない。即ち、袋体を、耐火性を有する合成繊維、ガラス繊維又は炭素繊維等によって構成してもよい。
【００３４】
また、本実施形態においては、マグネット部材３を、一枚のマグネットシートにより構成したが、これに限らない。即ち、マグネット部材３を、複数のマグネットシートにより構成してもよい。これにより、防火ネット１の開口部２１近傍における柔軟性を向上できるので、防火ネット１の排気管１０の外周面１２に対する密着性を向上させることが可能になる。
【符号の説明】
【００３５】
１    防火ネット
２    袋体
３    マグネット部材
１０    排気管
１１    排気口
１２    外周面
２０    金網
２１    開口部
２２    封止部
２３    中空部
２７    切込部
２８    周縁
【図１】
2010223106.tif 000003
【図２】
2010223106.tif 000004
【図３】
2010223106.tif 000005
【図４】
2010223106.tif 000006
【図５】
2010223106.tif 000007
【図６】
2010223106.tif 000008
【図７】
2010223106.tif 000009
【図８】
2010223106.tif 000010
【図９】
2010223106.tif 000011
【図１０】
2010223106.tif 000012